(57)【要約】【課題】主天板と折り畳み天板とを折り畳み自在に連結しながら、同一平面に保持する。【解決手段】天板は、主天板１に蝶番３を介して折り畳み天板２を折り畳み自在に連結している。蝶番３は、主天板１に固定される第１の固定プレート１１に、折り畳み天板２に固定される第２の固定プレート１２を、折り畳み軸１３を介して連結し、第１の固定プレート１１に第１の折曲軸３１を介して第１の折曲プレート２１を連結し、第２の固定プレート１２に第２の折曲軸３２を介して第２の折曲プレート２２を連結し、第１の折曲プレート２１と第２の折曲プレート２２とを、中間連結軸２３を介して連結している。天板は、ストッパ４で折曲プレート２０を固定プレート１０に対して垂直姿勢に保持して折り畳み天板２を主天板１と同一水平面内に固定し、折曲プレート２０と固定プレート１０とを同一面とする姿勢で折曲して、折り畳み天板２を主天板１に対して折り畳みする。【選択図】図６
2010187716.tif 000002
【特許請求の範囲】
【請求項１】
主天板(1)と、この主天板(1)に折り畳み自在に連結してなる折り畳み天板(2)と、この折り畳み天板(2)を主天板(1)に折り畳み自在に連結する蝶番(3)とを備えており、
前記蝶番(3)が、主天板(1)の裏面に固定してなる第１の固定プレート(11)と、この第１の固定プレート(11)に折り畳み軸(13)を介して折曲自在に連結されて前記折り畳み天板(2)の裏面に固定してなる第２の固定プレート(12)と、前記第１の固定プレート(11)に、前記折り畳み軸(13)に対して直交する姿勢の第１の折曲軸(31)を介して第１の固定プレート(11)に対して平行な水平姿勢から、第１の固定プレート(11)に対して垂直な垂直姿勢に傾動自在に連結してなる第１の折曲プレート(21)と、前記第２の固定プレート(12)に、前記折り畳み軸(13)に対して直交する姿勢の第２の折曲軸(32)を介して第２の固定プレート(12)に対して平行な水平姿勢から、第２の固定プレート(12)に対して垂直な垂直姿勢に傾動自在に連結してなる第２の折曲プレート(22)と、前記第１の折曲軸(31)と第２の折曲軸(32)に対して直交する姿勢にあって、前記第１の折曲プレート(21)と第２の折曲プレート(22)とを折曲自在に連結してなる中間連結軸(23)と、第１の折曲プレート(21)と第２の折曲プレート(22)とを第１の固定プレート(11)と第２の固定プレート(12)に対して垂直姿勢に停止するストッパ(4)とを備えており、
前記蝶番(3)は、前記折り畳み軸(13)を、主天板(1)と折り畳み天板(2)の対向する側縁と平行に配設して、第１の固定プレート(11)を主天板(1)に、第２の固定プレート(12)を折り畳み天板(2)の裏面に固定しており、
前記主天板(1)と前記折り畳み天板(2)とが同一平面に位置するように拡張される状態で、前記ストッパ(4)でもって前記折曲プレート(20)を前記固定プレート(10)に対して垂直姿勢に保持し、前記第１の折曲プレート(21)と第２の折曲プレート(22)とを同一平面に配置して、同一平面に配置される折曲プレート(20)でもって、第１の固定プレート(11)と第２の固定プレート(12)とを同一水平面内に固定して、折り畳み天板(2)を主天板(1)と同一水平面内に固定し、
さらに、前記折曲プレート(20)を前記固定プレート(10)と同一面とする姿勢で、前記折曲プレート(20)と前記固定プレート(10)とが折曲されて、前記折り畳み天板(2)を前記主天板(1)に対して折り畳みするようにしてなる天板。
【請求項２】
前記ストッパ(4)が、前記折曲プレート(20)を固定プレート(10)に対して垂直姿勢とする方向に付勢するスプリング(41)と、折曲プレート(20)を固定プレート(10)に対して垂直姿勢に停止するストッパ部(42)とを備えており、前記スプリング(41)でもって、前記折曲プレート(20)を前記固定プレート(10)に対して垂直姿勢とする方向に付勢して、ストッパ部(42)でもって前記折曲プレート(20)を前記固定プレート(10)に対して垂直姿勢に保持するようにしてなる請求項１に記載される天板。
【請求項３】
天板が、机の天板、テーブルの天板、作業台の天板のいずれかである請求項１に記載される天板。
【請求項４】
前記主天板(1)と前記折り畳み天板(2)の複数カ所に前記蝶番(3)を固定している請求項１に記載される天板。
【請求項５】
前記主天板(1)と前記折り畳み天板(2)の複数カ所に前記蝶番(3)を固定して、隣接する蝶番(3)の間にあって、主天板(1)と折り畳み天板(2)との対向する側面(1A)、(2A)の一方に嵌着凸部(7)を、他方には嵌着凸部(7)を案内する嵌着凹部(8)を設けており、折り畳み天板(2)を主天板(1)と同一面に位置する状態で、嵌着凸部(7)を嵌着凹部(8)に案内して折り畳み天板(2)を主天板(1)に連結するようにしてなる請求項４に記載される天板。
【発明の詳細な説明】
【技術分野】
【０００１】
本発明は、主として学習机などの机やテーブル、あるいは作業台などに使用される天板に関し、とくに用途に最適な大きさに変更できる天板に関する。
【背景技術】
【０００２】
天板を、用途に最適な面積に変更できる折り畳み構造とする机は開発されている。（特許文献１参照）
【０００３】
この机は、図１の斜視図に示すように、天板の面積を小さくするときは、主天板９１の上に折り畳み天板９２を重ねて使用する。主天板９１と折り畳み天板９２は、片側を蝶番９３で折り畳みできるように連結している。天板を広い面積で使用するときは、折り畳み天板９２を開いて、すなわち、蝶番９３を中心に１８０度回転して、折り畳み天板９２を主天板９１と同一平面とする。折り畳み天板９２をこの姿勢に保持するために、主天板９１の裏面には引き出し９４を連結している。引き出し９４は、主天板９１の裏面から水平方向に引き出しできるように主天板９１に連結している。引き出されて引き出し９４の上に折り畳み天板９２を載せて、折り畳み天板９２は主天板９１と同一平面に保持される。
【先行技術文献】
【特許文献】
【０００４】
【特許文献１】特開２００２−３５５１２３号公報
【発明の概要】
【発明が解決しようとする課題】
【０００５】
図１の天板は、折り畳み天板９２を水平な姿勢に保持するために、主天板９１の裏面に引き出し９４を設ける必要がある。このため、折り畳み天板を主天板と同一平面に保持する機構が複雑になる欠点がある。
【０００６】
本発明は、この欠点を解決することを目的に開発されたものである。本発明の重要な目的は、折り畳み天板を水平姿勢に保持する専用の機構を設けることなく、折り畳み天板を主天板に連結する蝶番でもって水平姿勢に保持でき、全体として極めて簡単な構造で折り畳み天板を折り畳み自在に連結し、また、主天板を同一平面に保持できる天板を提供することにある。
【課題を解決するための手段及び発明の効果】
【０００７】
本発明の天板は、主天板１と、この主天板１に折り畳み自在に連結してなる折り畳み天板２と、この折り畳み天板２を主天板１に折り畳み自在に連結する蝶番３とを備えている。蝶番３は、主天板１の裏面に固定してなる第１の固定プレート１１と、この第１の固定プレート１１に折り畳み軸１３を介して折曲自在に連結されて、折り畳み天板２の裏面に固定してなる第２の固定プレート１２と、第１の固定プレート１１に、折り畳み軸１３に対して直交する姿勢の第１の折曲軸３１を介して第１の固定プレート１１に対して平行な水平姿勢から、第１の固定プレート１１に対して垂直な垂直姿勢に傾動自在に連結してなる第１の折曲プレート２１と、第２の固定プレート１２に、折り畳み軸１３に対して直交する姿勢の第２の折曲軸３２を介して第２の固定プレート１２に対して平行な水平姿勢から、第２の固定プレート１２に対して垂直な垂直姿勢に傾動自在に連結してなる第２の折曲プレート２２と、第１の折曲軸３１と第２の折曲軸３２に対して直交する姿勢にあって、第１の折曲プレート２１と第２の折曲プレート２２とを折曲自在に連結してなる中間連結軸２３と、第１の折曲プレート２１と第２の折曲プレート２２とを第１の固定プレート１１と第２の固定プレート１２に対して垂直姿勢に停止するストッパ４とを備えている。蝶番３は、折り畳み軸１３を、主天板１と折り畳み天板２の対向する側縁と平行に配設して、第１の固定プレート１１を主天板１の裏面に、第２の固定プレート１２を折り畳み天板２の裏面にそれぞれ固定している。天板は、主天板１と折り畳み天板２とが同一平面に位置するように拡張される状態で、ストッパ４でもって、折曲プレート２０を固定プレート１０に対して垂直姿勢に保持し、第１の折曲プレート２１と第２の折曲プレート２２とを同一平面に配置して、同一平面に配置される折曲プレート２０でもって、第１の固定プレート１１と第２の固定プレート１２とを同一水平面内に固定して、折り畳み天板２を主天板１と同一水平面内に固定する。さらに、天板は、折曲プレート２０を固定プレート１０と同一面とする姿勢で、折曲プレート２０と固定プレート１０とを折曲して、折り畳み天板２を主天板１に対して折り畳みする。
【０００８】
以上の天板は、折り畳み天板を水平姿勢に保持する専用の機構を設けることなく、折り畳み天板を主天板に連結する蝶番でもって水平姿勢に保持でき、全体として極めて簡単な構造としながら、折り畳み天板を折り畳み自在に主天板に連結し、また、主天板と同一平面に保持して大きな天板として使用できる特徴がある。
【０００９】
本発明の天板は、ストッパ４が、折曲プレート２０を固定プレート１０に対して垂直姿勢とする方向に付勢するスプリング４１と、折曲プレート２０を固定プレート１０に対して垂直姿勢に停止するストッパ部４２とを備え、スプリング４１でもって、折曲プレートを固定プレート１０に対して垂直姿勢とする方向に付勢して、ストッパ部４２でもって折曲プレート２０を固定プレート１０に対して垂直姿勢に保持することができる。
【００１０】
本発明の天板は、机の天板、テーブルの天板、作業台の天板のいずれかとすることができる。
【００１１】
本発明の天板は、主天板１と折り畳み天板２の複数カ所に蝶番３を固定することができる。
【００１２】
さらに、本発明の天板は、主天板１と折り畳み天板２の複数カ所に蝶番３を固定し、隣接する蝶番３の間にあって、主天板１と折り畳み天板２との対向する側面１Ａ、２Ａの一方に嵌着凸部７を、他方には嵌着凸部７を案内する嵌着凹部８を設けて、折り畳み天板２を主天板１と同一面に位置する状態で、嵌着凸部７を嵌着凹部８に案内して折り畳み天板２を主天板１に連結することができる。
【図面の簡単な説明】
【００１３】
【図１】従来の天板を折り畳み構造とする机の斜視図である。
【図２】本発明の一実施例にかかる天板を備える机の斜視図である。
【図３】図２に示す机の天板を拡張した状態を示す斜視図である。
【図４】図２に示す机の背面斜視図である。
【図５】図２に示す天板の蝶番を示す底面斜視図である。
【図６】図３に示す天板の蝶番を示す底面斜視図である。
【図７】図６に示す蝶番の折曲プレートを水平姿勢に倒した状態を示す底面斜視図である。
【図８】図５に示す天板の手前側の蝶番の拡大斜視図である。
【図９】図６に示す天板の手前側の蝶番の拡大斜視図である。
【図１０】図６に示す天板の奥側の蝶番の拡大斜視図である。
【図１１】図７に示す天板の手前側の蝶番の拡大斜視図である。
【図１２】図１０に示す蝶番のＡ−Ａ線断面斜視図である。
【発明を実施するための形態】
【００１４】
以下、本発明の実施例を図面に基づいて説明する。ただし、以下に示す実施例は、本発明の技術思想を具体化するための天板を例示するものであって、本発明は、天板を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図２ないし図４は、天板を備える学習机５０を示す。ただ、本発明は、天板の用途を学習机には特定するものではない。天板は、事務机、テーブル、作業台などの他の用途に使用できるからである。図の学習机５０は、折り畳みできる天板の四隅に脚５１を固定して、側部には引き出し５２を設けている。
【００１７】
天板は、図５ないし図７の底面から見た斜視図に示すように、主天板１と、この主天板１に折り畳み自在に連結してなる折り畳み天板２と、この折り畳み天板２を主天板１に折り畳み自在に連結する蝶番３とを備える。蝶番３は、主天板１と折り畳み天板２の裏面に固定されて、折り畳み天板２を下方に折り畳みできる構造としている。さらに、折り畳み天板２を主天板１と同一面に位置させる状態で互いに接近する面であって、主天板１と折り畳み天板２の対向する側面１Ａ、２Ａを平面状として、一枚の天板として使用する状態で、主天板１と折り畳み天板２の隙間を狭くしている。
【００１８】
図２ないし図４の学習机５０は、主天板１の四隅に脚５１を固定して、主天板１の後方に蝶番３を介して折り畳み天板２を連結している。図の学習机５０は、主天板１の後方に折り畳み天板２を連結しているが、折り畳み天板は、主天板の側部に、あるいは前方に蝶番を介して連結することもできる。
【００１９】
蝶番３は、図８ないし図１１に示すように、主天板１の裏面に固定してなる第１の固定プレート１１と、この第１の固定プレート１１に折り畳み軸１３を介して折曲自在に連結されて、折り畳み天板２の裏面に固定している第２の固定プレート１２と、第１の固定プレート１１に、折り畳み軸１３に対して直交する姿勢の折曲軸３０を介して第１の固定プレート１１に対して平行な水平姿勢から、第１の固定プレート１１に対して垂直な垂直姿勢に傾動自在に連結している第１の折曲プレート２１と、第２の固定プレート１２に、折り畳み軸１３に対して直交する姿勢の折曲軸３０を介して第２の固定プレート１２に対して平行な水平姿勢から、第２の固定プレート１２に対して垂直な垂直姿勢に傾動自在に連結している第２の折曲プレート２２と、折曲軸３０に対して直交する姿勢にあって、第１の折曲プレート２１と第２の折曲プレート２２とを折曲自在に連結している中間連結軸２３と、第１の折曲プレート２１と第２の折曲プレート２２とを第１の固定プレート１１と第２の固定プレート１２に対して垂直姿勢とし、かつ、この姿勢にある第１の折曲プレート２１と第２の折曲プレート２２を互いに同一面として、この姿勢に停止するストッパ４とを備えている。
【００２０】
第１の固定プレート１１及び第２の固定プレート１２と、第１の折曲プレート２１及び第２の折曲プレート２２は、鉄や鉄合金などの金属板を加工して製作している。金属板の第１の固定プレート１１と第２の固定プレート１２は、互いに折曲できるように連結している連結縁に連結筒１４を設けるように加工し、この連結筒１４に折り畳み軸１３を挿通して連結している。連結筒１４は、折り畳み天板２を折り畳みする方向、図１１において、第１の固定プレート１１と第２の固定プレート１２の下面に突出するように設けている。第１の固定プレート１１と第２の固定プレート１２とは、連結筒１４の位置を折り畳み軸１３の軸方向にずらせて設けている。第１の固定プレート１１と第２の固定プレート１２の連結筒１４は、一方または両方を折り畳み軸１３に回転できるように挿通して、互いに折曲できるように連結される。第１の固定プレート１１と第２の固定プレート１２は、折り畳み軸１３を、主天板１と折り畳み天板２の対向する側面１Ａ、２Ａの下方に配置するように、主天板１と折り畳み天板２の下面に固定される。第１の固定プレート１１と第２の固定プレート１２は、主天板１と折り畳み天板２に止ネジ５で固定できるように、複数の貫通孔１６を設けている。この貫通孔１６に止ネジ５をねじ込んで主天板１と折り畳み天板２に固定している。
【００２１】
第１の折曲プレート２１は、第１の固定プレート１１と第２の固定プレート１２の連結構造と同じ構造で第１の折曲軸３１を介して折曲できるように第１の固定プレート１１に連結している。さらに、第２の折曲プレート２２も、同じ構造で第２の折曲軸３２を介して折曲できるように第２の固定プレート１２に連結している。すなわち、第１の折曲プレート２１と第１の固定プレート１１は、それぞれの連結縁に連結筒２５、１５を設けるように加工し、この連結筒２５、１５に第１の折曲軸３１を挿通して互いに折曲できるように連結している。また、第２の折曲プレート２２と第２の固定プレート１２は、それぞれの連結縁に連結筒２５、１５を設けるように加工し、この連結筒２５、１５に第２の折曲軸３２を挿通して互いに折曲できるように連結している。折曲プレート２０と固定プレート１０は、連結筒２５、１５の位置を、折曲軸３０の軸方向にずらせて設けている。折曲プレート２０と固定プレート１０の連結筒２５、１５は、一方または両方を折曲軸３０に回転できるように挿通して、互いに折曲できるように連結している。
【００２２】
折曲プレート２０と固定プレート１０の連結筒２５、１５は、図１１において、折曲プレート２０と固定プレート１０の上面に突出するように設けている。主天板１と折り畳み天板２は、折曲プレート２０と固定プレート１０の上面に突出する連結筒２５、１５を挿入する挿入凹部６を裏面に設けている。図の天板は、主天板１と折り畳み天板２とに、それぞれ挿入凹部６を設けており、主天板１に設けた挿入凹部６に、第１の折曲プレート２１と第１の固定プレート１１の連結筒２５、１５を挿入すると共に、折り畳み天板２に設けた挿入凹部６に、第２の折曲プレート２２と第２の固定プレート１２の連結筒２５、１５を挿入している。図の挿入凹部６は、折曲プレート２０と固定プレート１０の連結筒２５、１５を挿入できる細長い溝状で、主天板１と折り畳み天板２との境界線に対して垂直な方向に延長して設けている。折曲プレート２０と固定プレート１０は、裏面に設ける挿入凹部６を、上面に突出する連結筒２５、１５を挿入できる深さに成形しており、これらの連結筒２５、１５を挿入凹部６に挿入することにより、固定プレート１０を主天板１と折り畳み天板２の裏面に密着する状態で固定すると共に、水平姿勢の折曲プレート２０を主天板１と折り畳み天板２の裏面に接近して配置できるようにしている。
【００２３】
第１の折曲プレート２１と第２の折曲プレート２２は、図６、図９、及び図１０に示すように、第１の固定プレート１１と第２の固定プレート１２に対して垂直姿勢となる状態では、主天板１と折り畳み天板２を同一面に保持し、図５と図８に示すように、第１の固定プレート１１と第２の固定プレート１２に対して水平姿勢となる状態では、折り畳み天板２を折り畳みできる状態とする。したがって、折曲プレート２０は、固定プレート１０に対して垂直姿勢と水平姿勢とに折曲できるように連結される。以上の状態で折曲できるように、図の蝶番３は、折曲プレート２０と固定プレート１０とを同一面状とする状態（図１１参照）では、第１の折曲軸３１と第２の折曲軸３２とが同軸に配置されるようにしている。
【００２４】
さらに、第１の折曲プレート２１と第２の折曲プレート２２は、第１の固定プレート１１と第２の固定プレート１２を折曲自在に連結する連結構造と同じ構造で、中間連結軸２３を介して互いに折曲できるように連結している。すなわち、折曲プレート２０は、図１１に示すように、固定プレート１０と同一面に位置する状態で、第１の折曲プレート２１と第２の折曲プレート２２の下面に突出するように連結筒２４を設けて、この連結筒２４に中間連結軸２３を挿通している。第１の折曲プレート２１と第２の折曲プレート２２は、連結筒２４の位置を中間連結軸２３の軸方向にずらせて設けている。第１の折曲プレート２１と第２の折曲プレート２２は、中間連結軸２３を、主天板１と折り畳み天板２の対向する側面１Ａ、２Ａの下方に配置するように、主天板１と折り畳み天板２の下面に配置している。
【００２５】
以上の折曲プレート２０は、図１１に示すように、固定プレート１０と水平姿勢となる状態で、固定プレート１０と一緒に折曲されて、図５と図８に示すように、折り畳み天板２を折り畳みできる状態とする。すなわち、折曲プレート２０の第２の折曲プレート２２を、中間連結軸２３を回転軸として第１の折曲プレート２１に対して折曲すると共に、固定プレート１０の第２の固定プレート１２を、折り畳み軸１３を回転軸として第１の固定プレート１１に対して折曲して、折り畳み天板２を主天板１に対して折り畳みする。したがって、蝶番３は、折曲プレート２０の中間連結軸２３と固定プレート１０の折り畳み軸１３とを同軸に配置している。
【００２６】
ストッパ４は、図９、図１０、及び図１２に示すように、折曲プレート２０を固定プレート１０に対して垂直姿勢に保持して、折曲プレート２０で固定プレート１０の折曲を阻止する。すなわち、第１の固定プレート１１と第２の固定プレート１２とを同一水平面内に保持して、折り畳み天板２と主天板１とを同一平面に固定する。このストッパ４は、折曲プレート２０を固定プレート１０に対して垂直姿勢とする方向に付勢するスプリング４１と、互いに接触して折曲プレート２０を固定プレート１０に対して垂直姿勢に停止するストッパ部４２とを備えている。
【００２７】
スプリング４１は、折曲軸３０を挿入してなるコイルスプリングで、一端を固定プレート１０に他端を折曲プレート２０に連結して、折曲プレート２０を固定プレート１０に対して垂直姿勢とする方向に付勢している。図９の蝶番３は、第１の折曲軸３１と第２の折曲軸３２とに別々のコイルスプリングを挿入して、第１の折曲プレート２１を第１の固定プレート１１に対して垂直姿勢の方向に、第２の折曲プレート２２を第２の固定プレート１２に対して垂直姿勢の方向に付勢している。図の蝶番３は、第１の折曲軸３１と第２の折曲軸３２の両方にスプリング４１を設けているが、スプリングは、いずれか一方の折曲軸にのみ設けることもできる。
【００２８】
さらに、図１２に示す蝶番３は、折曲プレート２０を固定プレート１０に対して垂直姿勢まで折曲させる状態で、矢印で示す方向の回転、すなわち水平姿勢から垂直姿勢の方向への回転を阻止するストッパ部４２を設けている。図の蝶番３は、折曲プレート２０に設けた連結筒２５との接続部である連結筒接続部２６の表面を、固定プレート１０の連結縁１７に当接させて、折曲プレート２０の垂直方向への回転を阻止するストッパ部４２としている。この構造のストッパ部４２は、最も簡単な構造としながら、折曲プレート２０の回転を垂直姿勢で停止できる。さらに、蝶番は、図示しないが、折曲プレートの連結縁を、固定プレートに設けた連結筒との接続部である連結筒接続部の表面に当接させて、折曲プレートの垂直方向への回転を阻止するストッパ部とすることもできる。図の蝶番３は、第１の折曲プレート２１と第２の折曲プレート２２の両方をストッパ部４２でもって、垂直姿勢に停止できるようにしている。ただ、蝶番は、折曲プレートのいずれか一方にのみストッパ部を設けることもできる。
【００２９】
さらに、蝶番は、折曲プレートまたは固定プレートの表面に、互いに接触することで折曲プレートの回転を垂直姿勢で停止させるストッパ部を設けることもできる。このストッパ部は、図示しないが、折曲プレートと固定プレートのいずれか一方、あるいは両方の表面に設けた凸部とすることができる。すなわち、折曲プレートに設けたストッパ部は、固定プレートの表面に接触して折曲プレートを垂直姿勢に保持し、固定プレートに設けたストッパ部は、折曲プレートの表面に接触して、垂直姿勢に保持する構造とすることができる。さらに、ストッパ部は、折曲プレートと固定プレートとを、垂直姿勢において、互いに当接して折曲が停止される形状に成形して設けることもできる。
【００３０】
図５ないし図７の天板は、主天板１と折り畳み天板２の２カ所に蝶番３を固定している。ふたつの蝶番３は、第１の折曲プレート２１と第２の折曲プレート２２の中間連結軸２３を外側に引っ張って、垂直姿勢にある折曲プレート２０を外側に展開できるように、主天板１と折り畳み天板２とに固定している。この構造は、天板の両側から下に手を入れて、第１の折曲プレート２１と第２の折曲プレート２２の中間連結軸２３の付近を外側に引っ張って、折曲プレート２０を固定プレート１０に対して水平姿勢に倒して、折り畳み天板２を折り畳みできる。
【００３１】
さらに、図４の天板は、ふたつの蝶番３の間にあって、主天板１と折り畳み天板２との対向する側面１Ａ、２Ａの一方に嵌着凸部７を、他方の側面には嵌着凸部７を案内する嵌着凹部８を設けている。図の天板は、折り畳み天板２の側面２Ａに嵌着凸部７を設けて、主天板１の側面１Ａに嵌着凹部８を設けている。嵌着凹部８は、主天板１の側面１Ａに、長手方向に伸びる溝として設けられる。嵌着凸部７は、金属線からなり、金属線の両端を折り畳み天板２の側面２Ａに挿入して固定している。金属線は、折り畳み天板２の側面２Ａの長手方向に伸びて、嵌着凹部８に案内される。この構造は、簡単な構造で、折り畳み天板２と主天板１の連結部の上下のずれを阻止できる。以上の天板は、折り畳み天板２に嵌着凸部７を、主天板１に嵌着凹部８を設けているが、反対に主天板に嵌着凸部を、折り畳み天板に嵌着凹部を設けることもできる。
【００３２】
以上の天板は、折曲プレート２０を固定プレート１０に対して垂直姿勢とする状態で、折り畳み天板２が主天板１と同一水平面内に保持される。それは、固定プレート１０に対して垂直姿勢にあって、互いに同一平面にある第１の折曲プレート２１と第２の折曲プレート２２が、第１の固定プレート１１と第２の固定プレート１２を同一水平面内に保持して、固定プレート１０の折曲を阻止するからである。
【００３３】
折り畳み天板２を折り畳みするときは、固定プレート１０に対して垂直姿勢にある折曲プレート２０を、固定プレート１０に対して水平姿勢とする方向に折曲させる。すなわち、垂直姿勢から水平姿勢に倒す方向に移動させる。この状態になると、第１の折曲プレート２１と第２の折曲プレート２２は、第１の固定プレート１１と第２の固定プレート１２を同一水平面内に保持できなくなる。したがって、折曲プレート２０を固定プレート１０と同一平面とする状態で、折曲プレート２０と固定プレート１０が折曲されて、折り畳み天板２は折り畳まれる。折り畳み天板２は、水平姿勢から９０度回動されて、主天板１に対して直角の姿勢に折り畳まれ、あるいは１８０度回転させて、主天板１の裏面に水平姿勢に折り畳まれる。
【符号の説明】
【００３４】
１…主天板                    １Ａ…側面
２…折り畳み天板              ２Ａ…側面
３…蝶番
４…ストッパ
５…止ネジ
６…挿入凹部
７…嵌着凸部
８…嵌着凹部
１０…固定プレート
１１…第１の固定プレート
１２…第２の固定プレート
１３…折り畳み軸
１４…連結筒
１５…連結筒
１６…貫通孔
１７…連結縁
２０…折曲プレート
２１…第１の折曲プレート
２２…第２の折曲プレート
２３…中間連結軸
２４…連結筒
２５…連結筒
２６…連結筒接続部
３０…折曲軸
３１…第１の折曲軸
３２…第２の折曲軸
４１…スプリング
４２…ストッパ部
５０…学習机
５１…脚
５２…引き出し
９１…主天板
９２…折り畳み天板
９３…蝶番
９４…引き出し
【図１】
2010187716.tif 000003
【図２】
2010187716.tif 000004
【図３】
2010187716.tif 000005
【図４】
2010187716.tif 000006
【図５】
2010187716.tif 000007
【図６】
2010187716.tif 000008
【図７】
2010187716.tif 000009
【図８】
2010187716.tif 000010
【図９】
2010187716.tif 000011
【図１０】
2010187716.tif 000012
【図１１】
2010187716.tif 000013
【図１２】
2010187716.tif 000014